(57)【特許請求の範囲】
【請求項１】
１又は複数の電力供給ユニットであって、
前記１又は複数の電力供給ユニットの少なくとも第１の電力供給ユニットは、第１のバッテリ電源を有する、１又は複数の電力供給ユニットと、
前記第１のバッテリ電源によって電力供給され、第１のアクティブな電力消費モード及び第２の非アクティブな低電力消費モードを含むいくつかのモードで動作する第１の処理回路と、
前記１又は複数の電力供給ユニットの少なくとも１つによって電力供給され、前記第１の処理回路が、動作モードを前記第１のアクティブな電力消費モードから前記第２の非アクティブな低電力消費モードに切り替えた場合、アクティブなブロードキャスティングモードにあり、無線信号をブロードキャストする無線送信回路と、
を備え、
前記第１の処理回路は、１又は複数の予め規定された第１のユーザ入力を受信した場合、動作モードを前記第１のアクティブな電力消費モードから前記第２の非アクティブな低電力消費モードに切り替え、
前記第１の処理回路及び前記無線送信回路の前記動作モードは、前記第１の処理回路が非アクティブな低電力消費モードにあり、前記無線送信回路が、非アクティブな非ブロードキャスティングモードにある共通電源オフモードを含み、
前記第１の処理回路及び前記無線送信回路は、前記第１の処理回路が、機内モード入力を受信した場合、前記共通電源オフモードに設定される、
装置。
【請求項２】
前記第１の処理回路が前記第１のアクティブな電力消費モードにある場合、前記無線送信回路は、前記アクティブなブロードキャスティングモードにある、請求項１に記載の装置。
【請求項３】
前記第１の処理回路が前記第１のアクティブな電力消費モードにある場合、前記無線送信回路は、非アクティブな非ブロードキャスティングモードにある、請求項１に記載の装置。
【請求項４】
前記第１の処理回路は、１又は複数のユーザ選択設定、又は１又は複数のユーザ選択入力に基づいて、一動作モードから別の動作モードへの切り替えを管理する、請求項１から３の何れか一項に記載の装置。
【請求項５】
前記第１の処理回路は、前記第１のバッテリ電源によって前記第１の処理回路に供給される供給電圧が、第１の閾値電圧より低下した場合、前記第１のアクティブな電力消費モードから前記第２の非アクティブな低電力消費モードに自動的に切り替わる、請求項１から４の何れか一項に記載の装置。
【請求項６】
前記無線送信回路は、前記第１のバッテリ電源によって電力供給され、前記無線送信回路は、前記第１のバッテリ電源の供給電圧が、予め決められた第２の閾値電圧を下回っている場合、非アクティブな非ブロードキャスティングモードにある、請求項１から５の何れか一項に記載の装置。
【請求項７】
請求項５に従属する場合、前記第１の閾値電圧は、前記第２の閾値電圧より高い、請求項６に記載の装置。
【請求項８】
第２の電力供給ユニット
を更に備え、
前記無線送信回路は、前記第２の電力供給ユニットによって電力供給される、請求項１から７の何れか一項に記載の装置。
【請求項９】
前記第１の処理回路及び前記無線送信回路は、前記第１の処理回路が、前記第１のユーザ入力とは異なる第２のユーザ入力を受信した場合、前記共通電源オフモードに設定される、請求項１に記載の装置。
【請求項１０】
前記第１の処理回路が、第１のユーザ設定を検出した場合、前記第１のユーザ入力を受信したとき、又は、前記第１のバッテリ電源によって供給される供給電圧が、第１の閾値電圧より低下したとき、前記第１の処理回路は、前記第１のアクティブな電力消費モードから前記第２の非アクティブな低電力消費モードに切り替わり、
第１の処理回路が、第２のユーザ設定を検出した場合、前記第１の処理回路が、前記第１のユーザ入力を受信したとき、又は、前記第１のバッテリ電源によって供給される前記供給電圧が、前記第１の閾値電圧より低下したとき、前記第１の処理回路及び前記無線送信回路は、前記共通電源オフモードに設定される、請求項１又は９に記載の装置。
【請求項１１】
前記無線送信回路は、Ｂｌｕｅｔｏｏｔｈ（登録商標）低エネルギー送信機を含み、前記無線信号は、Ｂｌｕｅｔｏｏｔｈ（登録商標）低エネルギー信号である、請求項１から１０の何れか一項に記載の装置。
【請求項１２】
前記無線信号は、固有のＩＤ番号（ＵＵＩＤ）を含む、請求項１から１１の何れか一項に記載の装置。
【請求項１３】
前記第１の処理回路と前記第１の電力供給ユニットとの間に接続され、前記第１の処理回路の電力管理を実行する第１の電力管理回路と、
第２の電力供給ユニットと、
前記無線送信回路と、前記第２の電力供給ユニットとの間に接続され、かつ前記第１の電力供給ユニットに接続され、前記無線送信回路の電力管理を実行する第２の電力管理回路と
を更に備え、
前記無線送信回路は、前記第２の電力供給ユニットによって電力供給される、請求項１から７の何れか一項に記載の装置。
【請求項１４】
装置において動作モードを切り替えるための方法であって、
前記装置の第１の処理回路の動作モードを第１のアクティブな電力消費モードから非アクティブな低電力消費モードに切り替える段階と、
前記第１の処理回路の前記動作モードの切り替えに応答して、無線信号のブロードキャストを維持する段階又は無線信号のブロードキャストを開始する段階とを備え、
前記切り替える段階は、１又は複数の予め規定された第１のユーザ入力を受信した場合、前記第１の処理回路の前記動作モードを前記第１のアクティブな電力消費モードから第２の前記非アクティブな低電力消費モードに切り替える段階を含み、
前記切り替える段階は、前記第１の処理回路が機内モード入力を受信した場合、前記第１の処理回路が非アクティブな低電力消費モードにあり、無線送信回路が、非アクティブな非ブロードキャスティングモードにある共通電源オフモードに切り替える段階を含む、方法。
【請求項１５】
請求項１４に記載の方法をコンピュータに実行させるプログラム。
【請求項１６】
請求項１４に記載の方法をコンピュータに実行させるプログラムを記録したコンピュータ可読記憶媒体。
【発明の詳細な説明】
【技術分野】
【０００１】
本発明は、バッテリ電源式装置の動作モードを非アクティブな低電力消費モードに変えるときに、無線信号のブロードキャストを可能にするという分野に関する。ブロードキャストされた信号は、装置を紛失した場合に、装置の位置特定をするために使用されてよい。
【背景技術】
【０００２】
携帯電話機の所有者の共通の問題は、電話を一時的に紛失する、例えば、ユーザが、彼／彼女（又は、家族の他の誰かが）家庭環境のなかで最後にどこに電話を置いたか忘れるときがある、ということである。そのような紛失した携帯電話機を見つけるための１つのよく使用される方法は、単純に電話をかけ、「着信音を追跡する」ことである。電話を公共の環境で紛失した（おそらく所有者は、携帯電話を盗まれたと知っているか、又はそう疑う）場合、現在、既に、例えば、ユーザがインストールしたセキュリティアプリケーション（ａｐｐ）に基づいて、そのような携帯電話機をトラッキングし、見つける方法がある。 
【０００３】
１つの問題として、モバイルデバイスは通常バッテリ電源式なので、上述の方法は、電話の電源がオンにされた間だけしか適用可能でないということがある。バッテリが少ないせいで電話の電源が切られた場合、又は、何らかの理由で、手動で電話の電源が切られた場合、電話を容易に見つけることはできない。
【発明の概要】
【０００４】
本発明の目的は、携帯電話又はタブレットなどのバッテリ電源式モバイルデバイスが、低電力消費モード又は電源オフモードにある場合に、このようなデバイスの位置特定を可能にする概念を提供することである。本発明の実施形態は、無線接続性技術を含むバッテリ電源式デバイスに基づいている。
【０００５】
先述の、及び他の目的は、独立クレームの特徴によって達成される。更なる実装形態が、従属クレーム、説明、及び図面から明らかである。 
【０００６】
第１態様では、装置が提供される。当該装置は、１又は複数の電力供給ユニットであって、当該電力供給ユニットの少なくとも第１の電力供給ユニットは、第１のバッテリ電源を有する、１又は複数の電力供給ユニットと、第１のバッテリ電源によって電力供給され、第１のアクティブな電力消費モード及び第２の非アクティブな低電力消費モードを含むいくつかのモードで動作するよう構成された第１の処理回路と、上記１又は複数の電力供給ユニットの少なくとも１つによって電力供給され、第１の処理回路が、動作モードを第１のアクティブモードから第２の非アクティブモードに切り替えた場合、アクティブなブロードキャスティングモードにあり、無線信号をブロードキャストするよう構成された無線送信回路とを備える。
【０００７】
無線送受信回路でもあり得る当該無線送信回路は、限定された供給電流を流す低電力送信又は送受信回路であり得、無線送信回路は、電力供給ユニットによって、又は、第１の処理回路に電力供給するのに必要とされるものよりも低い供給エネルギーを有するバッテリ電源によって電力供給されてよい。従って、第１の処理回路が非アクティブな低電力消費モードにある場合、無線送信回路は、アクティブなブロードキャスティングモードの状態を保持してよい。ブロードキャストされた信号は、装置を紛失した場合、装置が通常動作モードから電源がオフにされた場合でさえも、装置の位置特定のために使用され得る。 
【０００８】
第１態様に係る装置の第１の可能な実装形態において、送信回路は、第１の処理回路が第１のアクティブな動作モードにある場合、アクティブなブロードキャスティングモードにあるよう構成されている。
【０００９】
第１態様に係る装置の第２の可能な実装形態において、送信回路は、第１の処理回路が第１のアクティブな動作モードにある場合、非アクティブな非ブロードキャスティングモードにあるよう構成されている。
【００１０】
第１態様それ自体に係る、又は、第１態様の先行する実装形態の何れかに係る装置の第３の可能な実装形態において、第１の処理回路は、１又は複数のユーザ選択設定、又は１又は複数のユーザ選択入力に基づいて、一動作モードから別の動作モードへの切り替えを管理するよう構成されている。そのようなユーザ選択入力は、例えば、シャットダウンコマンド、又は通常電源オフコマンド、又は動作モード切り替えコマンドであってよい。
【００１１】
第１態様それ自体に係る、又は、第１態様の先行する実装形態の何れかに係る装置の第４の可能な実装形態において、第１の処理回路は、第１のバッテリ電源によって第１の処理回路に供給される供給電圧が、第１の閾値電圧より低下した場合、第１のアクティブモードから第２の非アクティブモードに自動的に切り替わるよう構成されている。第１の閾値電圧は、例えば、それを下回れば処理回路の完全な動作がもはや可能ではない電圧であり得る。 
【００１２】
第１態様それ自体に係る、又は、第１態様の先行する実装形態の何れかに係る装置の第５の可能な実装形態において、第１の処理回路は、１又は複数の予め規定された第１のユーザ入力を受信した場合、動作モードを第１のアクティブモードから第２の非アクティブモードに切り替えるよう構成されている。 
【００１３】
第１態様それ自体に係る、又は、第１態様の先行する実装形態の何れかに係る装置の第６の可能な実装形態において、送信回路は、第１のバッテリ電源によって電力供給され、送信回路は、第１のバッテリの供給電圧が、予め決められた第２の閾値電圧を下回る場合、非アクティブな非ブロードキャスティングモードにあるよう構成されている。
【００１４】
第１態様の第４及び第６の実装形態に係る装置の第７の可能な実装形態において、第１の閾値電圧は、第２の閾値電圧より高い。換言すると、この実装形態によれば、送信回路は、処理回路より長い間オンに切り替えかえられたままである。それにより、装置の残りの機能（例えば、処理回路によって実行される機能）が、第１のバッテリの供給電圧が低いために既にオフに切り替えられていても、ブロードキャストされた信号に基づいて、依然として装置を見つけ得ることが可能になる。
【００１５】
第１態様それ自体に係る、又は、第１態様の先行する実装形態の何れかに係る装置の第８の可能な実装形態において、装置は更に第２の電力供給ユニットを備え、送信回路は、第２の電力供給ユニットによって電力供給される。第２の電力供給回路（例えば、第２の（長寿命）バッテリの形態の）を有することによって、第１のバッテリが完全に空になった場合でさえも、無線送信回路が無線信号をブロードキャストでき、ブロードキャストされた無線信号に基づいて、依然として装置を容易に見つけ得ることが保証され得る。更なる実装形態によれば、送信回路は、第１の電力供給ユニット及び第２の電力供給ユニットの両方によって電力供給され得る。例えば、第１のバッテリの供給電圧が、（上述の第２の閾値などの）予め決められた閾値より低下した場合、送信回路は、その電源を第１の電力供給ユニットから第２の電力供給ユニットに切り替え得る。よって、第２の電力供給ユニットは、装置が無線信号をブロードキャストできる時間を更に延ばすバックアップソリューションとして機能してよい。
【００１６】
第１態様それ自体に係る、又は、第１態様の先行する実装形態の何れかに係る装置の第９の可能な実装形態において、第１の処理回路及び送信回路の動作モードは、共通電源オフモードを備える。当該共通電源オフモードでは、第１の処理回路は非アクティブな低電力消費モードにあり、送信回路は非アクティブな非ブロードキャスティングモードにある。この共通電源オフモードは、例えば、機内モード（全ての無線通信機能が非アクティブ化される）、又は、完全シャットダウンモード若しくは完全電源オフモードであり得る。
【００１７】
第１態様の第５及び第９の実装形態に係る装置の第１０の可能な実装形態において、第１の処理回路及び送信回路は、第１の処理回路が第１のユーザ入力とは異なる第２のユーザ入力を受信した場合、共通電源オフモードに設定されるよう構成されている。第２のユーザ入力は、例えば、「機内モードに入る」コマンド、又は、「装置を完全にシャットダウンする」コマンドであり得る。
【００１８】
第１態様の第５及び第９の、又は、第５及び第１０の実装形態に係る装置の第１１の可能な実装形態において、第１の処理回路が、第１のユーザ設定を検出した場合、第１のユーザ入力を受信したとき、又は、第１のバッテリ電源によって供給される供給電圧が第１の閾値電圧より低下したとき、第１の処理回路は、第１のアクティブモードから第２の非アクティブモードに切り替わるよう構成されており、第１の処理回路が、第２のユーザ設定を検出した場合、第１の処理回路が第１のユーザ入力を受信したとき、又は、第１のバッテリ電源によって供給される供給電圧が、第１の閾値電圧より低下したとき、第１の処理回路及び送信回路は、共通電源オフモードに設定されるよう構成されている。
【００１９】
第１態様それ自体に係る、又は、第１態様の先行する実装形態の何れかに係る装置の第１２の可能な実装形態において、送信回路は、Ｂｌｕｅｔｏｏｔｈ（登録商標）低エネルギー送信機を含み、無線信号は、Ｂｌｕｅｔｏｏｔｈ（登録商標）低エネルギー信号である。 
【００２０】
ブロードキャストされた信号は、周期的にブロードキャストされてよい。送信回路が、Ｂｌｕｅｔｏｏｔｈ（登録商標）低エネルギー信号を送信中である場合、送信信号は、ブロードキャストされた信号の信号強度を読み出すための無線サブシステムが設けられたモバイルデバイス又は携帯電話などの別の装置によって検出されてよい。そのような無線サブシステムは、Ｂｌｕｅｔｏｏｔｈ（登録商標）技術に基づいていてよく、Ｂｌｕｅｔｏｏｔｈ（登録商標）の受信信号強度指標ＲＳＳＩを含んでよい。
【００２１】
第２態様では、装置において動作モードを切り替えるための方法が提供される。当該方法は、装置の第１の処理回路の動作モードを第１のアクティブな電力消費モードから非アクティブな低電力消費モードに切り替える段階と、第１の処理回路の動作モードの切り替えに応答して、無線信号のブロードキャストを維持又は開始する段階とを備える。 
【００２２】
第３態様では、装置において動作モードを切り替えるための方法が提供される。当該装置は、第１のバッテリ電源を持つ第１の電力供給ユニットを有する１又は複数の電力供給ユニットを備え、当該装置は更に、第１のバッテリ電源によって電力供給される第１の処理回路であって、第１のアクティブな電力消費モード及び第２の非アクティブな低電力消費モードを含むいくつかのモードで動作するよう構成された、第１の処理回路を備え、当該装置は更に、１又は複数の電力供給ユニットの少なくとも１つによって電力供給され、第１の処理回路が、動作モードを第１のアクティブモードから第２の非アクティブモードに切り替えた場合、アクティブなブロードキャスティングモードにあり、無線信号をブロードキャストするよう構成された無線送信回路を備え、当該方法は、第１のバッテリの供給電圧を検出する段階と、第１のバッテリ電源によって第１の処理回路に提供された供給電圧が、第１の閾値より低下した場合、又は、第１の処理回路が、１又は複数の第１のユーザ入力を受信した場合、第１の処理回路の動作モードを第１のアクティブモードから第２の非アクティブモードに切り替える段階とを備え、これにより、無線送信回路はアクティブなブロードキャスティングモードにある。
【００２３】
第３態様に係る方法の第１の可能な実装形態において、無線送信回路は、第１のバッテリ電源によって電力供給され、当該方法は更に、第１のバッテリ供給電圧が、第１の閾値電圧より低い第２の閾値より低下した場合、無線送信回路の動作モードをアクティブなブロードキャスティングモードから非アクティブな非ブロードキャスティングモードに切り替える段階を備える。 
【００２４】
第４態様では、コンピュータプログラムが提供される。当該コンピュータプログラムは、コンピュータ上で実行されると、第２態様若しくは第３態様に係る、又は、第３態様に係る方法の第１の可能な実装形態に係る方法を実行するためのプログラムコードを備える。 
【図面の簡単な説明】
【００２５】
【図１】第２のバッテリ電源式モバイルデバイスによる第１のバッテリ電源式モバイルデバイスの位置特定を例示する図であり、第１のバッテリ電源式デバイスは、本発明の実施形態に係る装置の例である。
【図２】本発明の実施形態に係る装置のブロック図である。
【図３】本発明の実施形態に係る装置のブロック図である。
【図４】本発明の実施形態に係る、図２の装置の動作モードを例示するフローチャートである。
【図５】本発明の実施形態に係る、図２の装置による無線位置特定信号のブロードキャストを例示するフローチャートである。
【図６】本発明の実施形態に係る、図１の第２のモバイルデバイスによる無線位置特定信号がないかのスキャンを例示するフローチャートである。
【発明を実施するための形態】
【００２６】
本発明の実施形態内には、電源がオフにされた、又は、低電力モードにある紛失したモバイルデバイスを見つけるという問題を解決する解決手段、すなわち、紛失したモバイルデバイスが、（例えば、その受信回路がオフになっている、又は、そのような受信回路を有すことさえないという事実により、）電話を受けることができない場合でさえ、紛失したモバイルデバイスを位置特定する手段を提案することが含まれる。
【００２７】
図１は、第２のバッテリ電源式モバイルデバイス「ファインドミーロケータ（Ｆｉｎｄ  ｍｅ  ｌｏｃａｔｏｒ）」１０２による、第１のバッテリ電源式モバイルデバイス「ファインドミーターゲット（Ｆｉｎｄ  ｍｅ  ｔａｒｇｅｔ）」１０１の位置特定を例示する図である。第１のバッテリ電源式デバイス１０１は、本発明の実施形態に係る装置であり、以下で更に説明される。
【００２８】
モバイルデバイス１０１が、非アクティブな低電力消費モードにおいて電源がオフにされた場合、例えば、Ｂｌｕｅｔｏｏｔｈ（登録商標）低エネルギーＢＬＥ又はＢＴＬＥに基づいて、位置決定のために使用され得る超低電力無線技術を使用して、見つけられ得る、又は、位置決定され得る。モバイルデバイス１０１は、ユーザの視点から電源がオフにされた場合、すなわち、非アクティブな低電力消費モードにおいて電源がオフにされた場合、周期的に無線信号を送信又はブロードキャストし得、当該無線信号は、他のデバイス１０２、例えば、電源がオフにされた紛失デバイス１０１の方向の信号がないかスキャン中の、Ｂｌｕｅｔｏｏｔｈ（登録商標）低エネルギーに基づく別のデバイスによってトラッキングされ得る。また、そのような紛失デバイス１０１は、屋内のネットワーク測位システムが、同じ屋内測位技術、例えば、Ｂｌｕｅｔｏｏｔｈ（登録商標）低エネルギーに基づいていると仮定すると、当該ネットワーク測位システムによって位置特定され得る。
【００２９】
装置１０１によってブロードキャストされた無線信号はまた、ビーコンに指定され得る。装置１０１の送信回路は、ブロードキャストされた無線信号の中に、装置１００の識別情報を含めるよう構成されてよい。更に、装置１００の送信回路は、ブロードキャストされた無線信号の中に、装置１００の最後の既知の位置についての位置情報（例えば、ＧＰＳ座標）を含めるよう構成されてよい。 
【００３０】
装置又はモバイルデバイス１０１が非アクティブな低電力消費モードにある場合、無線送信信号をブロードキャストすべく、多くの無線送信技術による解決手段が使用されてよい。無線送信回路は、Ｂｌｕｅｔｏｏｔｈ（登録商標）低エネルギー（ＢＬＥ）、ＡＮＴ／ＡＮＴ＋ＤＡＳＨ７、ｉＢｅａｃｏｎ（ＢＬＥに基づくＡｐｐｌｅ社自身の実装のＡｐｐｌｅ商標）、ＺｉｇＢｅｅ（登録商標）、及びＺ‐Ｗａｖｅなどの低電力若しくは低エネルギー送信技術による解決手段、又は、無線による解決手段を含んでよい。
【００３１】
無線送信回路又は低電力無線技術、例えば、ＢＬＥは、異なる手段、例えば、モバイルデバイス１０１に電力供給するために使用されたバッテリに残っている少ないエネルギー量、すなわち、バッテリが少ないせいで自動的にモバイルデバイス又は携帯電話１０１の電源が切られた後の残バッテリ容量によって電力供給され得る。無線送信回路又は低電力無線技術はまた、代替の電源によって、例えば、別のバッテリによって、又は太陽電池によって、電力供給され得る。低電力無線送信による解決手段のための重要な因子には、非常に低い平均電流消費、及び非常に低いピーク電流消費がある。 
【００３２】
モバイルデバイス１０１などのモバイルデバイスの場合、バッテリのステータス及び容量は通常、継続的にモニタリングされ、モニタリングはハードウェア及びソフトウェアによるものであってよく、残バッテリ容量が少ないいくつかの時点で、電話は自動的に電源が切られる。Ｌｉ系タイプのバッテリを使用するスマートフォンデバイスの場合は通常、バッテリの公称電圧は、完全に充電された場合、約３．８Ｖであり、バッテリ電圧が約３．２‐３．４Ｖに低下した場合、当該スマートフォンは電源が切られる。この時点で、残バッテリ容量は、総バッテリ容量の数パーセントの範囲でしかない。上述したように、残りの少ない容量は、電源がオフにされた場合に携帯電話の位置決定のために、何らかの超低電力消費無線技術によって使用され得る。
【００３３】
図２は、本発明の実施形態に係る、装置、又はモバイルデバイス若しくは携帯電話２００のブロック図である。モバイルデバイス２００は、図１の「ファインドミーターゲット」デバイス１０１として使用され得る。モバイルデバイス２００は、電力供給ユニットとしてのバッテリ電源２０３と、バッテリ電源２０３によって電力供給される第１の処理回路２０１と、バッテリ電源２０３と第１の処理回路２０１との間に接続された第１の電力管理回路２０４、ＰＭとを有する。モバイルデバイス２００は更に、無線送信回路（ＷＴＣ）２０２を含む。当該無線送信回路はまた、無線送受信回路であり得る。送信回路２０２はまた、バッテリ２０３と無線送信回路２０２との間に接続された第２の電力管理回路（ＰＭ）２０５、ＷＴＣ  ＰＭを介して、バッテリ電源２０３によって電力供給される。図２から分かるように、無線送信回路電力管理回路２０５とも称され得る第２の電力管理回路２０５は、無線送信回路２０２のため（だけ）に電力管理を実行するよう構成されている。第１の電力管理回路２０４は、装置２００の残りの処理回路のために電力管理を実行するよう構成されている。
【００３４】
モバイルデバイス２００は、第１の処理回路２０１以外に他の処理回路２０６、２０７を有してよい。当該処理回路２０６、２０７はまた、第１の電力管理回路２０４を介してバッテリ電源２０３によって電力供給される。第１の処理回路２０１はまた、無線送信回路２０２に通信可能に接続されてよい。電力管理回路２０４及び２０５は共にバッテリ電源２０３に接続されており、バッテリ電源２０３の供給電圧が、いつ第１の閾値電圧より低下するかを検出するよう構成され、当該検出は、ＰＭ２０４回路及びＷＴＣ  ＰＭ２０５回路の両方に対し、「ＢＡＴＴ空基準（ＢＡＴＴ  ｅｍｐｔｙ  ｒｅｆ）」によって示される。更に、第２の電力管理回路２０５は更に、バッテリ電源２０３の供給電圧が、いつ上述の第１の閾値電圧を更に下回る第２の閾値電圧より低下するかを検出するよう構成されている。
【００３５】
図３は、本発明の更なる実施形態に係る装置又はモバイルデバイス３００のブロック図である。モバイルデバイス３００はまた、図１の「ファインドミーターゲット」デバイス１０１として使用され得る。モバイルデバイス３００は、図２のデバイス２００とよく似た構成となっており、モバイルデバイスは、第１の電力供給ユニットとしての第１のバッテリ電源３０３と、第１のバッテリ電源３０３によって電力供給される第１の処理回路３０１と、第１のバッテリ３０３と第１の処理回路３０１との間に接続された第１の電力管理回路３０４、ＰＭとを有する。モバイルデバイス３００はまた、第１の処理回路３０１以外に他の処理回路３０６、３０７を有してよい。処理回路３０６、３０７はまた、第２の電力管理回路３０４を介して第１のバッテリ電源３０３によって電力供給される。モバイルデバイス３００はまた、無線送信回路３０２を有する。当該無線送信回路３０２はまた、無線送受信回路であり得るが、送信回路３０２は、第１のバッテリ電源３０３によっては電力供給されない。 
【００３６】
その代わりに、送信回路３０２は、第２の電力供給ユニット３０８によって電力供給される。ここで、第２の電力供給ユニット３０８は第２のバッテリ電源であるが、更なる実施形態においては、太陽電池でもあり得る。第２のバッテリ３０８と無線送信回路３０２との間に第２の電力管理回路３０５、ＷＴＣ  ＰＭが接続されている。いくつかの実施形態においては、第２の電力管理回路３０５はまた、第１のバッテリ電源３０３に接続されてよく、これにより、送信回路３０２への第２のバッテリ電源３０８からの電力供給はまた、第１のバッテリ電源３０３の電圧に応じて制御されてよい。図３に例示された装置３００の場合、電力管理回路３０４及び３０５は共にバッテリ電源３０３に接続されており、バッテリ電源３０３の供給電圧がいつ第１の閾値電圧より低下するかを検出するよう構成されており、当該検出は、ＰＭ３０４回路に対し「ＢＡＴＴ空基準」によって、及び、ＷＴＣ  ＰＭ３０５回路に対し「ＭＢＡＴＴ空基準（ＭＢＡＴＴ  ｅｍｐｔｙ  ｒｅｆ）」によって示される。第１の処理回路３０１は、ここでまた、無線送信回路３０２に通信可能に接続されてよい。 
【００３７】
更なる実施形態によれば、無線送信回路３０２は、第１のバッテリ電源３０３及び第２のバッテリ電源３０８の両方によって電力供給されることもまた可能である。一例として、第１のバッテリ電源３０３の供給電圧が所与の閾値（例えば、上述の第２の閾値）を上回っている限り、第２の電力管理回路３０５は、無線送信回路３０２に第１のバッテリ電源３０３からの電力を供給するよう構成されている。第１のバッテリ電源３０３の供給電圧が上記の第２の閾値より低下した場合、第２の電力管理回路３０３は、無線送信回路３０２の電源を、第１のバッテリ電源３０３から第２のバッテリ電源３０８に切り替えるよう構成され得る。この実施形態において、第２のバッテリ電源３０８は、無線送信回路３０２が上述の無線信号をその間ブロードキャストし得る時間を更に延ばすバックアップソリューションとして働く。 
【００３８】
モバイルデバイス２００及び３００の各々について、モバイルデバイス２００、３００がいくつかの処理回路を有する場合、処理回路２０１、３０１、又は、回路２０１、３０１、２０６、３０６、２０７、３０７は、モバイルデバイス２００、３００の携帯電話動作機能などの通常動作機能を実行するよう構成されてよい。無線送信回路２０２、３０２は、低エネルギー無線送信機又は超低エネルギー無線送信機として構成されており、回路２０２、３０２は、送信の際にアクティブである場合、Ｂｌｕｅｔｏｏｔｈ（登録商標）低エネルギー信号をブロードキャストするＢｌｕｅｔｏｏｔｈ（登録商標）低エネルギー送信機として構成されるのが好ましい。第１の処理回路２０１、３０１は、第１のアクティブな電力消費モード及び第２の非アクティブな低電力消費モードを含むいくつかのモードで動作するよう構成されており、無線送信回路２０２、３０２は、第１の処理回路２０１、３０１が、動作モードを第１のアクティブモードから第２の非アクティブモードに切り替えた場合、アクティブなブロードキャスティングモードにあり、無線信号をブロードキャストするよう構成されている。
【００３９】
第１のアクティブな電力消費モードにある場合、第１の処理回路２０１、３０１は、携帯電話動作などの通常動作機能を実行する通常動作モードにあってよい。第２の非アクティブな低電力消費モードにある場合、第１の処理回路２０１、３０１は、ユーザの視点から見た場合に、第１の処理回路２０１、３０１の電力消費が非常に低い電源オフモードにあってよい。 
【００４０】
本発明の実施形態内には、第１の処理回路２０１、３０１が第１のアクティブな動作モードにある場合、無線送信回路２０２、３０２が、アクティブなブロードキャスティングモードにあるよう構成されていることが含まれる。この場合、第１の処理回路２０１、３０１が第１の動作モードから第２の動作モードに切り替わったとき、送信回路２０２、３０２は動作モードを変更する必要はなく、第１の処理回路２０１、３０１が第２の動作モードに変化した場合、送信回路２０２、３０２は、無線信号をブロードキャストし続ける。 
【００４１】
更なる実施形態によれば、第１の処理回路２０１、３０１が第１のアクティブな動作モードにある場合、送信回路２０２、３０２は、非アクティブな非ブロードキャスティングモードにあるよう構成されている。この場合、第１の処理回路２０１、３０１が第１の動作モードから第２の動作モードに切り替わったとき、第１の処理回路２０１、３０１が第１の動作モードから第２の動作モードに変化中である場合、送信回路２０２、３０２は、動作モードを非アクティブモードからアクティブなブロードキャスティングモードに変更しなければならない。 
【００４２】
第１の処理回路２０１、３０１の動作モードの何れの変更も、第１の処理回路２０１、３０１によって送信回路２０２、３０２に伝えられてよい。 
【００４３】
第１の処理回路の動作モードの変更は、種々のやり方で開始され得る。モバイルデバイス２００、３００の場合、第１の処理回路２０１、３０１は、１又は複数のユーザ選択設定、及び／又は１又は複数のユーザ選択入力に基づいて、一動作モードから別の動作モードへの切り替えを管理するよう構成されている。ここで、第１の処理回路２０１、３０１は、１又は複数の予め規定された第１のユーザ入力を受信した場合、動作モードを第１のアクティブモードから第２の非アクティブモードに切り替えるよう構成されている。そのようなユーザ入力は、「通常電源オフ」信号のアクティブ化であってよく、当該信号は、第１の処理回路２０１、３０１を第２モードに至らせてよい。当該第２モードは、第１の処理回路２０１、３０１の電力消費が非常に低い、ユーザの視点から見た電源オフモードであってよい。第１の処理回路２０１、３０１の動作モードのこの変更は、第１の処理回路２０１、３０１によって送信回路２０２、３０２に伝えられる。送信回路２０２、３０２の構成に基づいて、次に送信回路２０２、３０２は、非アクティブモードからアクティブなブロードキャスティングモードに変化しなければならないかどうか、又は、アクティブなブロードキャスティングモードであり続けるかどうかを判断する。 
【００４４】
電力管理回路２０４、３０４は、第１のバッテリ電源２０３、３０３によって第１の処理回路２０１、３０１に供給される供給電圧をモニタリングし、第１のバッテリ電源２０３、３０３によって供給される供給電圧が第１の閾値電圧より低下した場合、第１の処理回路２０１、３０１は、自動的に第１のアクティブモードから第２の非アクティブモードに切り替わるよう構成されている。第１の処理回路２０１、３０１の動作モードのこの変更は、第１の処理回路２０１、３０１によって送信回路２０２、３０２に伝えられてよい。しかしながら、送信回路２０２、３０２に接続された電力管理回路２０５、３０５はまた、第１のバッテリ電源２０３、３０３によって第１の処理回路２０１、３０１に供給される供給電圧をモニタリング中であってよく、これにより、送信回路は、第１のバッテリ電源２０３、３０３によって供給される供給電圧が、第１の閾値電圧より低下しているかどうかを通知され得、それにより、第１の処理回路２０１、３０１の動作モードの変更を開始する。送信回路２０２、３０２の構成に基づいて、次に送信回路２０２、３０２は、第１のバッテリ電源２０３、３０３の供給電圧が、第１の閾値電圧より低下した場合、非アクティブモードからアクティブなブロードキャスティングモードに変化しなければならないかどうか、又は、アクティブなブロードキャスティングモードであり続けるかどうかを判断する。 
【００４５】
送信回路２０２が第１のバッテリ電源２０３によって電力供給される図２のモバイルデバイス２００では、送信回路２０２は、第１のバッテリ電源２０３の供給電圧が、予め決められた第２の閾値電圧を下回っている場合、非アクティブな非ブロードキャスティングモードにあるよう構成されている。第１の閾値電圧は、第２の閾値電圧より高い。従って、第１のバッテリ電源２０３の供給電圧が、第２の閾値電圧より低下した場合、送信回路２０２は、動作モードをアクティブなブロードキャスティングモードから非アクティブな非ブロードキャスティングモードに変更する。第１の閾値電圧及び第２の閾値電圧の値は、第１のバッテリ２０３に使用される技術によって決まる。Ｌｉイオンタイプのバッテリの場合、第１の閾値電圧は、３．２‐３．４Ｖの範囲であり得、ここで、第１の閾値電圧は３．２Ｖであることが好ましく、第２の閾値電圧は３Ｖ、又は、２．８‐３Ｖの範囲であることが好ましい。この機能を有することによって、第１のバッテリ２０３の深い放電、ひいてはバッテリ２０３の劣化が回避され得る。 
【００４６】
更なる実施形態によれば、第１の処理回路２０１、３０１及び無線送信回路２０２、３０２は、共通電源オフモードで動作するよう構成可能である。当該共通電源オフモードでは、第１の処理回路２０１、３０１は非アクティブな低電力消費モードにあり、低エネルギー送信回路２０２、３０２は、非アクティブな非ブロードキャスティングモードにある。第１の処理回路２０１、３０１及び送信回路２０２、３０２は、第１の処理回路２０１、３０１が、第１のユーザ入力とは異なる第２のユーザ入力又は第３のユーザ入力などの１又は複数のユーザ入力を受信した場合、共に共通電源オフモードに設定されるよう構成されてよい。ここで、第１の処理回路２０１の非アクティブな低電力消費モードは、第２の動作モードの非アクティブモードに対応していてよく、送信回路２０２の非アクティブモードは、第１のバッテリ２０３の供給電圧が、第２の閾値電圧を下回っている場合、非アクティブモードに対応していてよい。
【００４７】
上述されたように、第１の処理回路２０１、３０１は、種々のユーザ入力に基づいて、第１の動作モードから第２の動作モードへの、又は共通電源オフモードへの切り替えを管理するよう構成され得る。しかしながら、第１の処理回路２０１、３０１はまた、種々のユーザ選択設定によって予め設定され得、これにより、同じユーザ入力が、事前設定に応じて動作モードの種々の変化をもたらし得る。 
【００４８】
本発明の実施形態内には、第１のユーザ設定によって予め設定されている場合、又は、第１のユーザ設定を検出した場合、第１の処理回路２０１、３０１は、第１のユーザ入力を受信したとき、又は、第１のバッテリ電源２０３、３０３によって供給される供給電圧が第１の閾値電圧より低下したとき、第１のアクティブモードから第２の非アクティブモードに切り替わるよう構成されていることが含まれる。更に、第１の処理回路２０１、３０１が、第２のユーザ設定によって予め設定されている場合、又は、第２のユーザ設定を検出した場合、第１の処理回路２０１、３０１及び送信回路２０２、３０２は、第１の処理回路２０１、３０１が第１のユーザ入力を受信したとき、又は、第１のバッテリ電源２０３、３０３によって供給される供給電圧が、第１の閾値電圧より低下したとき、共通電源オフモードに設定されるよう構成されている。
【００４９】
図４は、第１の処理回路２０１及び送信回路２０２が共に第１のバッテリ電源２０３によって電力供給される、図２の装置又はモバイルデバイス２００の電源オフプロセス中の動作モードを例示するフローチャートである。モバイルデバイス２００は、第１の処理回路２０１が通常の第１のアクティブな動作モード４０１にある状態から開始する。ここで、第１の処理回路は、「電源オフ」信号が受信されたかどうかを検出する（４０２）。「電源オフ」信号は、種々のユーザ入力によって、又は、バッテリ供給電圧が第１の閾値電圧を下回ることによって開始され得る。通常動作モード４０１において、送信回路２０２は、アクティブなブロードキャスティングモード、又は、非アクティブな非ブロードキャスティングモードの何れかにあるよう構成され得る。 
【００５０】
「電源オフ」信号が検出された場合、段階４０３において、「電源オフ」信号が、第１のユーザ入力、第２のユーザ入力、第３のユーザ入力によって開始されたのかどうか、又は、第１のバッテリ電源２０３が低いことによって開始されたのかどうかを第１の処理回路２０１が判断する。無線送信回路ＷＴＣ２０２がアクティブにブロードキャストすることを許可されない「機内モード」入力であり得る第３のユーザ入力によって「電源オフ」信号が開始された場合、第１の処理回路２０１及び送信回路２０２は、共通電源オフモードへと切り替えられる（４１０）。当該共通電源オフモードにおいて、第１の処理回路２０１及び無線送信回路２０２は共に非アクティブモードにあり、無線送信回路は、モバイルデバイス２００を位置特定するために使用され得る信号の送信を停止している。第１の処理回路２０１が第１のアクティブな動作モードにある場合に、送信回路２０２がアクティブにブロードキャストしているとき、段階４１０において、送信回路２０２は、非アクティブな非ブロードキャスティングモードに変えられる。「電源オフ」信号が、第１のユーザ入力、第２のユーザ入力によって、又は、第１のバッテリ電源２０３が低いことによって開始された場合、第１の決定のために、送信回路２０２はアクティブであることを許可され、プロセスは段階４０４に進む。 
【００５１】
４０４において、第１の処理回路２０１は、動作モードを決定するためのユーザ設定を検出する。第１の処理回路が、第２のユーザ設定「電源がオフの場合、ファインドミーを有効にする‐いいえ」によって予め設定されている場合、送信回路２０２は、アクティブにブロードキャストすることを許可されず、第１の処理回路２０１及び送信回路２０２は、共通電源オフモードに切り替えられる（４１０）。第１の処理回路が、第１のユーザ設定「電源がオフの場合、ファインドミーを有効にする‐はい」によって予め設定されている場合、第２の決定のために、送信回路２０２は、アクティブにブロードキャストすることを許可され、プロセスは段階４０５に進む。 
【００５２】
４０５において、第１の処理回路２０１は、「電源オフ」信号が第１のユーザ入力、第２のユーザ入力によって開始されたかどうか、又は、第１のバッテリ電源２０３が低いことによって開始されたかどうかを検出する。「電源オフ」信号が、バッテリ電源２０３が低いことによって開始されたのではない場合、プロセスは段階４０６に進む。「電源オフ」信号が、バッテリ電源２０３が低い（例えば、供給電圧が第１の閾値電圧より低下した）ことによって開始された場合、プロセスは、段階４０７に進む。
【００５３】
４０６において、第１の処理回路２０１は、「電源オフ」信号が、第１のユーザ入力によって開始されたかどうか、又は、第２のユーザ入力によって開始されたかどうかを判断する。「電源オフ」信号が、第１のユーザ入力（通常電源オフ）によって開始された場合、プロセスは段階４０７に進み、「電源オフ」信号が、第２のユーザ入力（完全電源オフ）によって開始された場合、送信回路２０２は、アクティブにブロードキャストすることを許可されず、第１の処理回路２０１及び送信回路２０２は、共通電源オフモードに切り替えられる（４１０）。
【００５４】
４０７において、第１の処理回路２０１は、第２の非アクティブな低電力消費モードに切り替えられ、送信回路２０２は、アクティブなブロードキャスティングモードに切り替えられる、又は、既にアクティブモードにある場合はアクティブなブロードキャスティングモードであり続け、プロセスは段階４０８に進む。
【００５５】
４０８において、送信回路は、第１のバッテリ電源２０３の供給電圧が、第２の閾値電圧より低下したかどうかを検出する。バッテリ供給電圧が、第２の閾値電圧を上回っている限り、送信回路２０２は、アクティブなブロードキャスティングモードであり続け、バッテリ供給電圧が、第２の閾値電圧より低減された場合、プロセスは段階４０９に進む。
【００５６】
４０９において、送信回路２０２は、非アクティブな非ブロードキャスティングモードへと切り替えられ、これにより、第１の処理回路２０１及び送信回路２０２は共に非アクティブモード、又は共通電源オフモードにある（４１０）。
【００５７】
低電力無線通信システムは、屋内測位用途に使用され得、屋外測位用途にも、主に都市環境において、使用され得る。現在、この分野においては、進行中の研究及び開発努力が数多くあり、主にＷｉＦｉベースの屋内測位システムである商業展開が既に存在する。また、無線技術は、ＷｉＦｉ及びＢｌｕｅｔｏｏｔｈ（登録商標）ＲＳＳＩベースの測位方法と組み合わせて、ハイブリッド測位のためのセンサ、例えば、デッドレコニング用途のためのコンパス、加速度計、ジャイロを追加で使用することによって、測位精度及び電力消費に関して更に改善される。特に、精度の良さが必要であり、低い電力消費が重要である場合に、Ｂｌｕｅｔｏｏｔｈ（登録商標）低エネルギーが、そのような用途に非常によく適していることを近年の標準化活動が暗示している。加えて、この技術は、市場で広く展開されることが予期される。 
【００５８】
本発明の実施形態の場合、無線送信回路２０２、３０２に、無線送信技術を使用することが好ましく、当該技術は、高精度屋内測位（ＨＡＩＰ）及び低い電力消費を提供する。ここでは、Ｂｌｕｅｔｏｏｔｈ（登録商標）低エネルギー技術が使用され得る。使用される低電力無線技術が、モバイルデバイスにおいて高い普及率を有していることもまた重要であり、現在の技術は、Ｍ２Ｍ／インターネットオブシングズ用途に適したＷｉＦｉ、又はＢｌｕｅｔｏｏｔｈ（登録商標）、又はおそらく次に来る５Ｇベースの技術を暗示している。 
【００５９】
Ｂｌｕｅｔｏｏｔｈ（登録商標）低エネルギー技術に基づく測位方法を使用する場合、主な動作は、測位システムが使用されるとき、（インロケーション・アライアンス、ＩＬＡによって定義された通り）ネットワークセントリックな使用事例（Ｎｅｔｗｏｒｋ  Ｃｅｎｔｒｉｃ  Ｕｓｅ  Ｃａｓｅ）モデルに基づき得る。よりいくらか簡素な方法（例えば、ＲＳＳＩに基づく）が、紛失した、電源がオフになっているデバイス１０１を見つけるべく別の携帯電話１０２が使用される場合に使用され得る。 
【００６０】
ネットワークセントリックな測位使用事例において、トラッキング又は位置特定されるデバイスは、「タグ」と称されることが多く、当該タグは、周期的に（例えば、１秒に１回）信号を送信し、当該信号はロケータによって受信され得る。タグからの信号は、例えば、デバイス識別子番号、（例えば、パトリックの電話、などの）フレンドリーネームを含むデータを含み得るが、セキュリティ及びプライバシーのために、固有のＩＤ番号（ＵＵＩＤ）がおそらく好ましいであろう。タグは、典型的には、非常に電力消費の低い、低コストのデバイスであり、一般的に、簡素で安価なコイン電池バッテリによって電力供給されるが、受信機又はロケータ側は、典型的には、コンセントから電力供給される固定装置である。ロケータは、一般的には天井に取り付けられるであろう。本発明の実施形態内には、ロケータがまた、タグ１０１までの方向及びおおよその距離を、それなりの精度で見つけることができる携帯電話などのモバイルデバイス１０２であり得ることが含まれる。
【００６１】
本発明の実施形態の場合、紛失した、電源がオフになっているモバイルデバイス１０１は、タグとみなされ得、周期的にブロードキャスト様の信号を送信するので、当該デバイスは、種々の方法によって、すなわち、都市環境にある場合は屋内測位システム若しくは屋外測位システムによって、又は、ロケータ１０２として使用される他のモバイルデバイスによって位置特定され得る。ひとたび、電源がオフになっているモバイルデバイス又は携帯電話１０１を「紛失」し、「電源がオフになっている場合、ファインドミーを有効にする」機能、図４を参照されたい、が有効にされると、図４の段階４０７、このようなデバイス１０１は見つかる可能性が高い。 
【００６２】
何の屋内測位システムも利用可能ではないことがある家庭環境においては、別のモバイルデバイス１０２が、タグとして働く紛失デバイス１０１を含むタグが何かないかスキャンし得る。空港、鉄道の駅、ショッピングモールなどの公共の環境において、及び場合により企業環境において、屋内測位システムが、そのような紛失したモバイルデバイス１０１を見つけ得る、又はトラッキングし得る。 
【００６３】
本発明の実施形態によって提供される技術的解決手段の原理によれば、次に、バッテリ電源式モバイルデバイス１０１、２００の制御された電源オフ手順の一部として、低電力無線サブシステム２０２（上述の無線送信回路）が、周期的な信号を送信又はブロードキャストするために初期化され得、これにより、別の無線デバイス１０２がそれをトラッキングし得る。無線サブシステム２０２は、電力消費が非常に低い可能性があり、モバイルデバイス１０１、２００に電力供給中のバッテリ２０３の残バッテリ容量は、「完全電源オフ」がトリガされる（例えば、第２の閾値電圧より低下する）ほどバッテリ供給電圧が低くなる前に、数日又は数週間にわたってそのような測位用途に電力供給するために使用されてよい。信号のブロードキャスト又はトラッキング機能は、さほどエネルギーを消費せず、この機能は、故に、モバイルデバイス又は携帯電話１０１、２００の電源がオンになっている場合にもアクティブ化され得る。従って、モバイルデバイス又は携帯電話１０１、２００が現在、電源がオンになっているか、又は電源が切られているかどうかに関わらず、ユーザは紛失したモバイルデバイス又は携帯電話１０１、２００を見つけるために同じシステムを使用し得る。 
【００６４】
実際面では、これは、例えば、バッテリ容量に基づいて、又は、動作時間の制限に基づいて、無線サブシステム２０２が、自分自身で電源オフする機能を含むことを暗示しているであろう。ここで、バッテリレベル（第２の閾値電圧）は、例えば３．０Ｖに設定され得る、又は、動作時間の制限は、例えば一週間であり得る。
【００６５】
電源がオフになっている場合に紛失したモバイルデバイス又は携帯電話１０１、２００を見つける可能性は、ユーザが手動でデバイス１０１、２００の電源をオフにした場合でもまたサポートされてよく、バッテリ２０３が少ないせいで、自動的にデバイス１０１、２００の電源がオフになった場合にだけサポートされるのではない。 
【００６６】
図４に示された方法の段階４０３及び４０４と併せ、既に前述されたように、１又は複数のユーザ設定は、無線送信回路２０２、３０２によって提供されるブロードキャスティング位置特定機能を有効／無効にすべく提供されてよい。送信回路２０２、３０２が設けられたモバイルデバイス又は携帯電話１０１、２００、３００が、機内モードに設定された場合、ブロードキャスティング位置特定機能は、無効にされてよい（このことは、現地の法律及び法令に基づき得る）、すなわち、測位に使用される無線送信回路２０２、３０２は有効にされてはならない。
【００６７】
図４に示された方法の段階４０６と併せて説明したように、ブロードキャストする無線送信回路２０２、３０３を有効にし、アクティブ化すべくユーザ設定が設定された場合、モバイルデバイス２００、３００の電源をオフにするために種々のユーザ入力が使用されてよい。ここで、第１の電源オフ入力は、通常電源オフであってよく、ブロードキャストする無線送信回路２０２、３０３のみがアクティブであり、第２の電源オフ入力は、完全なシステム電源オフであってよく、第１の処理回路２０１、３０１及びブロードキャストする送信回路２０２、３０２は共に非アクティブである。 
【００６８】
図５及び図６は、プロセスの例を例示するフローチャートであり、当該プロセスは、紛失したモバイルデバイス「ファインドミーターゲット」１０１の、別のモバイルデバイス「ファインドミーロケータ」１０２による位置特定プロセス中に実行されてよい。図５は、モバイルデバイス１０１による無線位置特定信号のブロードキャストを例示しており、当該デバイスは、図２又は図３に示されたタイプ２００又はタイプ３００のものであり、図６は、図１の第２のモバイルデバイス１０２による、無線位置特定信号がないかのスキャンを例示している。
【００６９】
５０１において、ターゲットモバイルデバイス１０１、２００は、通常動作モードにある。５０２において、低電力無線送信回路、ＷＴＣ２０２、３０２はアクティブ化され、これにより、無線送信回路２０２、３０２は、（ビーコンにも指定されている）無線信号のブロードキャストを開始する。送信回路２０２、３０２のアクティブ化は、図４の段階４０６である通常電源オフのユーザ入力、又は、図４の段階４０５である、第１のバッテリ２０３、３０３のバッテリ供給電圧が第１の閾値電圧より低いことによって開始されてよい。段階５０３において、送信回路２０２、２０３は、１秒に１回など、周期的に信号を送信又はブロードキャストするよう設定される。無線送信回路２０２、２０３が、Ｂｌｕｅｔｏｏｔｈ（登録商標）低エネルギー送信機又は送受信機を持つ場合、ブロードキャストされた信号は、モバイルデバイス１０１、２００、３００の位置特定を通知するＢＬＥ信号であり得る。 
【００７０】
ターゲットデバイス１０１、２００、３００を探索している人又はユーザが、デバイス１０１、２００、３００を見つけた場合、当該人又はユーザは、「ファインドミー」機能を無効にしてよく、段階５０４、送信回路２０２、２０３は、非ブロードキャスティングモードにおいて設定される、段階５０８「ＷＴＣオフ」。ユーザはまた、完全なシステム電源オフ入力を与えてよく、図４の段階４０６に対応する段階５０５、このことがまた、送信回路２０２、２０３を非ブロードキャスティングモードに設定する、段階５０８「ＷＴＣオフ」。ユーザによって無効にされない場合、送信回路２０２、２０３は、（装置２００の）第１のバッテリ電源２０３の供給電圧が低くなりすぎ、（装置２００の）第２の閾値電圧を下回るようになるか、又は、第２のバッテリ電源３０８の供給電圧が、（装置３００の）ある特定の閾値電圧より低下するまで、ブロードキャスト信号を送信し続け、図４の段階４０８及び４０９に対応する段階５０６及び５０７、送信回路２０２、３０２は、非ブロードキャスティングモードに設定される、段階５０８「ＷＴＣオフ」。バッテリ電圧が第２の閾値電圧より低いために送信回路２０２の電源が切られた場合、別のモバイルデバイス１０２を使用してモバイルデバイス１０１の位置特定をすることはもはや可能ではない。しかしながら、上述された更なる実施形態の１つによれば、第１のバッテリ電源２０３、３０３の供給電圧が、第２の閾値電圧より低下した場合、無線信号のブロードキャストの存続期間は、送信回路２０２、３０２に電力供給するためのバックアップソリューションとして使用され得る第２のバッテリ電源３０８を予測することによって、更に延ばされ得る。
【００７１】
６０１において、「ファインドミーロケータ」であるモバイルデバイス１０２は通常動作モードにある。ロケータデバイス１０２には、送信回路２０２、３０２がアクティブにブロードキャストしている場合にターゲットモバイルデバイス１０１、２００、３００までの距離を示す信号を与える、Ｂｌｕｅｔｏｏｔｈ（登録商標）の受信信号強度指標ＲＳＳＩを備える無線サブシステムが設けられている。ターゲットデバイス１０１、２００、３００の位置の探索を開始すべく、ユーザは次に、ＲＳＳＩを備える無線サブシステムを開始し、段階６０２及び６０３、ロケータデバイス１０２は次に、ターゲットデバイス１０１、２００、３００からの送信されたブロードキャスト信号（ビーコン）がないかスキャンし続ける、段階６０４。正しいターゲットデバイス１０１、２００、３００から信号を受信した場合、段階６０５、ロケータデバイス１０２のＲＳＳＩサブシステムは、周期的に受信信号強度を読み取り、ユーザにその結果を提示し、当該ユーザは、この結果を使用して、ターゲットデバイス１０１、２００、３００を位置特定し得る、段階６０６。ロケータデバイス１０２のユーザが、ターゲットデバイス１０１、２００、３００を見つけた場合、ユーザは、無線ＲＳＳＩサブシステムを停止してよい、段階６０７、６０８及び６０９。
【００７２】
本発明が、その具体的な特徴及び実施形態に関して説明されてきたが、本発明の主旨及び範囲から逸脱することなく、様々な変形及び具現化が本発明に対して成され得ることは明らかである。従って、明細書及び図面は、添付の特許請求の範囲によって定義される本発明の例示とみなされるべきであり、本発明の範囲に含まれる、ありとあらゆる変形、変更、組み合わせ、又は等価物を網羅するものと考えられる。 
【００７３】
添付の特許請求の範囲において使用される用語「備える」は、他の要素又は段階を排除しない。添付の特許請求の範囲において使用される用語「１つの（ａ）」又は「１つの（ａｎ）」は、複数であることを排除しない。
【００７４】
本明細書において、及び特許請求の範囲において説明される方法はいずれも、方法の特徴に関して、本明細書において、及び特許請求の範囲において説明された装置のあらゆる特徴によって補足されてよい。
【図１】
0006552620.tif 000002
【図２】
0006552620.tif 000003
【図３】
0006552620.tif 000004
【図４】
0006552620.tif 000005
【図５】
0006552620.tif 000006
【図６】
0006552620.tif 000007